(57)【要約】【課題】床面等に巾木下部材を固定し、巾木下部材に複数個の調節部材の調節枠部材を間隔を置いて内嵌合し、調節枠部材及び巾木下部材に巾木上部材を外嵌合し、調節ボルトを回動することにより巾木上部材のパネル部材の底面を載置する上面の高さを調節し、調節後、巾木上部材をパネル部材の底面に固定することになり、巾木上部材の上面の高さを調節した状態に正確に維持することができ、パネル部材と床面等との間に隙間無く巾木を設置することができる。【解決手段】床面等Ｇに固定される巾木下部材１と、パネル部材Ｐの底面に固定される巾木上部材２と、巾木下部材と巾木上部材との間に間隔を置いて複数個嵌合配置され、巾木上部材のパネル部材の底面を載置する上面の高さを調節可能な調節部材３とを備えてなる。【選択図】図１
2007138446.tif 000002
【特許請求の範囲】
【請求項１】
床面等に固定される巾木下部材と、パネル部材の底面に固定される巾木上部材と、該巾木下部材と巾木上部材との間に間隔を置いて複数個嵌合配置され、該巾木上部材の該パネル部材の底面を載置する上面の高さを調節可能な調節部材とを備えてなり、上記調節部材は、上記巾木下部材に内嵌合されると共に上記巾木上部材に外嵌合される調節枠部材と、上記巾木上部材の底面に当接可能な調節ボルトとからなり、該調節枠部材に該巾木下部材の内側面に圧接係止可能な圧接係止部を設けてなることを特徴とする巾木。
【請求項２】
上記圧接係止部として、上記調節枠部材の両側壁部の左右側縁部に折曲凸部を形成してなることを特徴とする請求項１記載の巾木。
【請求項３】
床面等に巾木下部材を固定し、パネル部材の底面に巾木上部材を固定し、該巾木下部材と巾木上部材との間に間隔を置いて該巾木上部材の該パネル部材の底面を載置する上面の高さを調節可能な調節部材を複数個嵌合配置してなり、上記調節部材は、上記巾木下部材に内嵌合されると共に上記巾木上部材に外嵌合される調節枠部材と、上記巾木上部材の底面に当接可能な調節ボルトとからなり、該調節枠部材に該巾木下部材の内側面に圧接係止可能な圧接係止部を設けてなることを特徴とする巾木構造。
【発明の詳細な説明】
【技術分野】
【０００１】
本発明は例えば床面や地面と壁パネルなどのパネル部材との間に設置して用いられる巾木及び巾木構造に関するものである。
【背景技術】
【０００２】
従来この種の巾木として、床面等に固定される巾木下部材と、パネル部材の底面に固定される巾木上部材と、巾木下部材と巾木上部材との間に間隔を置いて複数個嵌合配置され、巾木上部材のパネル部材の底面を載置する上面の高さを調節可能な調節部材とを備えてなり、上記調節部材は、上記巾木下部材に内嵌合されると共に上記巾木上部材に外嵌合される調節枠部材と、上記巾木上部材の底面に当接可能な調節ボルトとからなる構造のものが知られている。
【特許文献１】特開平１１−６２０６６号公報
【発明の開示】
【発明が解決しようとする課題】
【０００３】
しかしながらこれら従来構造の場合、上記調節部材の調節ボルトの螺着回動により調節ボルトの頭部を上下調節することにより上記巾木上部材の上面の高さを調節することになり、この際、調節枠部材は巾木下部材に緩く嵌合された状態となっているので、不測の外力により巾木上部材の長手方向に移動することがあり、このため、正確に高さ調節したのに、巾木上部材の長手方向の移動により、巾木上部材の上面の高さが狂ってしまうことがあるという不都合を有している。
【課題を解決するための手段】
【０００４】
本発明はこれらの不都合を解決することを目的とするもので、本発明のうちで、請求項１記載の方法の発明は、床面等に固定される巾木下部材と、パネル部材の底面に固定される巾木上部材と、該巾木下部材と巾木上部材との間に間隔を置いて複数個嵌合配置され、該巾木上部材の該パネル部材の底面を載置する上面の高さを調節可能な調節部材とを備えてなり、上記調節部材は、上記巾木下部材に内嵌合されると共に上記巾木上部材に外嵌合される調節枠部材と、上記巾木上部材の底面に当接可能な調節ボルトとからなり、該調節枠部材に該巾木下部材の内側面に圧接係止可能な圧接係止部を設けてなることを特徴とする巾木にある。
【０００５】
又、請求項２記載の発明は、上記圧接係止部として、上記調節枠部材の両側壁部の左右側縁部に折曲凸部を形成してなることを特徴とするものである。
【０００６】
又、請求項３記載の発明は、床面等に巾木下部材を固定し、パネル部材の底面に巾木上部材を固定し、該巾木下部材と巾木上部材との間に間隔を置いて該巾木上部材の該パネル部材の底面を載置する上面の高さを調節可能な調節部材を複数個嵌合配置してなり、上記調節部材は、上記巾木下部材に内嵌合されると共に上記巾木上部材に外嵌合される調節枠部材と、上記巾木上部材の底面に当接可能な調節ボルトとからなり、該調節枠部材に該巾木下部材の内側面に圧接係止可能な圧接係止部を設けてなることを特徴とする巾木構造にある。
【発明の効果】
【０００７】
本発明は上述の如く、請求項１又は３記載の発明にあっては、床面等に巾木下部材を固定し、巾木下部材に複数個の調節部材の調節枠部材を間隔を置いて内嵌合し、調節枠部材及び巾木下部材に巾木上部材を外嵌合し、調節ボルトを回動することにより巾木上部材のパネル部材の底面を載置する上面の高さを調節し、調節後、巾木上部材をパネル部材の底面に固定することになり、この際、上記調節枠部材に巾木下部材の内側面に圧接係止可能な圧接係止部を設けてなるから、この圧接係止部による巾木下部材の内側面への圧接係止により調節部材の調節枠部材の長手方向の移動を防ぐことができ、このため、巾木上部材の上面の高さを調節した状態に正確に維持することができ、パネル部材と床面等との間に隙間無く巾木を設置することができると共に巾木設置作業を容易に行うことができる。
【０００８】
又、請求項２記載の発明にあっては、上記圧接係止部として、上記調節枠部材の両側壁部の左右側縁部に折曲凸部を形成してなるから、圧接係止部を容易に製作することができ、製作コストを低減することができる。
【発明を実施するための最良の形態】
【０００９】
図１乃至図６は本発明の実施の形態例を示し、１は巾木下部材であって、この場合、ステンレス材により形成され、下面壁部１ａの両側縁に側壁部１ｂ・１ｂを一体に全体として略Ｕ状に形成してなり、床面等Ｇに通穴１ｃによりビス、アンカー等Ｇ1によりに固定される。
【００１０】
２は巾木上部材であって、この場合、ステンレス材により形成され、上面壁部２ａの両側縁に側壁部２ｂ・２ｂを一体に全体として略逆Ｕ状に形成してなり、間仕切り等の壁パネル等のパネル部材Ｐの底面に通孔２ｃによりビス等Ｐ1により固定され、巾木下部材１と巾木上部材２とにより巾木Ｗが形成される。
【００１１】
３は調節部材であって、巾木下部材１と巾木上部材２との間に間隔を置いて複数個、この場合、２個嵌合配置され、巾木上部材２のパネル部材Ｐの底面を載置する上面の高さを調節可能に設けて構成されている。
【００１２】
この場合、上記調節部材３は、ステンレス材により形成され、上面壁部３ａの両側縁に側壁部３ｂ・３ｂを一体に全体として略逆Ｕ状に形成してなる調節枠部材３ｃと、上記巾木下部材１に内嵌合されると共に上記巾木上部材２に外嵌合され、上面壁部３ａのネジ孔３ｄに螺着され、巾木上部材２の底面に当接可能な頭部４ａをもつ調節ボルト４とからなり、上記上面壁部２ａに逃孔２ｄを形成している。
【００１３】
５は圧接係止部であって、上記調節枠部材３ｃに巾木下部材１の側壁部１ｂ・１ｂの内側面に圧接係止可能に形成され、この場合、この圧接係止部５として、上記調節枠部材３ｃの両側壁部３ｂ・３ｂの左右側縁部に折曲凸部５ａ・５ａをそれぞれ外方に向けて一体折曲突出形成している。
【００１４】
この実施の形態例は上記構成であるから、床面等Ｇに巾木下部材１をビスやアンカー等Ｇ1により通孔１ｃを介して固定し、巾木下部材１に２個の調節部材３の調節枠部材３ｃを間隔を置いて内嵌合し、調節枠部材３ｃ及び巾木下部材１に巾木上部材２を外嵌合し、ドライバー等を逃穴２ｄに通して調節ボルト４を回動することにより巾木上部材１のパネル部材Ｐの底面を載置する上面の高さを調節し、この調節後、巾木上部材２をパネル部材Ｐの底面に通穴２ｃを介してビス等Ｐ1により固定することになり、この際、上記調節枠部材３ｃに巾木下部材１の内側面に圧接係止可能な圧接係止部５を設けてなるから、この圧接係止部５による巾木下部材１の内側面への圧接係止により調節部材３の調節枠部材３ｃの長手方向の移動を防ぐことができ、このため、巾木上部材１の上面の高さを調節した状態に正確に維持することができ、パネル部材Ｐと床面等Ｇとの間に隙間無く巾木Ｗを設置することができると共に巾木設置作業を容易に行うことができる。
【００１５】
又、この場合、上記圧接係止部５として、上記調節枠部材３ｃの両側壁部３ｂ・３ｂの左右側縁部に折曲凸部５ａ・５ａを形成してなるから、圧接係止部５を容易に製作することができ、製作コストを低減することができる。
【００１６】
尚、本発明は上記実施の形態例に限られるものではなく、例えば、巾木下部材１、巾木上部材２、調節部材３の形状や構造等は適宜変更して設計されるものである。
【００１７】
以上、所期の目的を充分達成することができる。
【図面の簡単な説明】
【００１８】
【図１】本発明の実施の形態例の全体斜視図である。
【図２】本発明の実施の形態例の全体側断面図である。
【図３】本発明の実施の形態例の部分拡大断面図である。
【図４】本発明の実施の形態例の調節部材の斜視図である。
【図５】本発明の実施の形態例の調節部材の斜視図である。
【図６】本発明の実施の形態例の使用状態斜視図である。
【符号の説明】
【００１９】
Ｇ    床面等
Ｐ    パネル部材
Ｄ    ドア
Ｗ    巾木
１    巾木下部材
２    巾木上部材
３    調節部材
３ｃ    調節枠部材
４    調節ボルト
５    圧接係止部
５ａ    折曲凸部
【図１】
2007138446.tif 000003
【図２】
2007138446.tif 000004
【図３】
2007138446.tif 000005
【図４】
2007138446.tif 000006
【図５】
2007138446.tif 000007
【図６】
2007138446.tif 000008